(57)【要約】本発明は、液晶表示装置で輝度特性を最大限維持しながら集光効果を高めて広い視野角を有するようにする光学素子と、このような光学素子を含むバックライトユニット及び液晶表示装置に関するものである。このための本発明による光学素子の一実施例は、光透過性を有するベースフィルム；該ベースフィルムの少なくとも一面に形成された複数の凸部；及び前記凸部上の一部に複数の山と谷が連続に形成された微細光学パターン；を含んで構成される。一方、本発明による光学素子の他の実施例は、光透過性を有するベースフィルム；及び前記ベースフィルムの少なくとも一面に形成された複数の第３微細光学パターン；を含むが、前記各第３微細光学パターンは前記ベースフィルムの表面と接する部分が長軸と短軸を有する図形で形成されて、前記第３微細光学パターンに具備された山の高さは前記図形の長軸方向に沿って、その中心部から両端部に行くほど低くなるように形成するものである。
2011523102.tif 000002
【特許請求の範囲】
【請求項１】
光透過性を有するベースフィルム；
該ベースフィルムの少なくとも一面に形成されて入射光を拡散させる複数の凸部；及び
前記それぞれの凸部上に形成されて入射光を集光して出射させる第１微細光学パターン；
を含むことを特徴とする光学素子。
【請求項２】
前記第１微細光学パターンは、凸部上の少なくとも一部に山と谷が連続的に形成された
ことを特徴とする請求項１に記載の光学素子。
【請求項３】
前記ベースフィルムの他の一面に形成されて入射光を集光または/及び拡散させる第２微細光学パターンをさらに含む
ことを特徴とする請求項１に記載の光学素子。
【請求項４】
前記第２微細光学パターンは、山と谷が連続的に形成された
ことを特徴とする請求項３に記載の光学素子。
【請求項５】
前記第１微細光学パターン及び第２微細光学パターンは、それぞれの山と谷がお互いに平行に配列された
ことを特徴とする請求項４に記載の光学素子。
【請求項６】
前記第１微細光学パターン及び第２微細光学パターンは、それぞれの山と谷が所定の傾斜角を構成しながら配列された
ことを特徴とする請求項４に記載の光学素子。
【請求項７】
前記凸部の直径は、５０〜１００μmで構成される
ことを特徴とする請求項１または３に記載の光学素子。
【請求項８】
前記凸部は、長軸と短軸を有する図形に形成されて、長軸の長さは５０〜１００μmで構成されて、短軸の長さは１〜１００μmで構成される
ことを特徴とする請求項１または３に記載の光学素子。
【請求項９】
前記凸部の高さは１０〜４０μmで構成される
ことを特徴とする請求項１または３に記載の光学素子。
【請求項１０】
前記凸部間の距離は５０〜１５０μmで構成される
ことを特徴とする請求項１または３に記載の光学素子。
【請求項１１】
前記複数の凸部のうちで少なくとも一部はその高さが相異する
ことを特徴とする請求項１または３に記載の光学素子。
【請求項１２】
前記第１微細光学パターンの山の高さは５〜３０μmで構成される
ことを特徴とする請求項１または３に記載の光学素子。
【請求項１３】
前記第１微細光学パターンの山の幅は１０〜３０μmで構成される
ことを特徴とする請求項１または３に記載の光学素子。
【請求項１４】
前記第１微細光学パターンは、山の高さがお互いに異なるように形成された
ことを特徴とする請求項１または３に記載の光学素子。
【請求項１５】
前記第１微細光学パターンは、前記各凸部の中央部に形成された
ことを特徴とする請求項１または３に記載の光学素子。
【請求項１６】
前記凸部のうちで前記第１微細光学パターンが形成されない残り部分は、一定な曲率で湾曲された形状で構成される
ことを特徴とする請求項１または２に記載の光学素子。
【請求項１７】
請求項１ないし請求項１６のうちでいずれか一つの光学素子を含むバックライトユニット。
【請求項１８】
請求項１７に記載のバックライトユニットを含む液晶表示装置。
【請求項１９】
光透過性を有するベースフィルム；及び
前記ベースフィルムの少なくとも一面に形成されて、入射光を集光及び拡散させる複数の第３微細光学パターン；
を含み、
前記各第３微細光学パターンは、
前記ベースフィルムの表面と接する部分が長軸と短軸を有する図形に形成されて、前記第３微細光学パターンに具備された山の高さは前記図形の長軸方向に沿ってその中心部から両端部に行くほど低くなる
ことを特徴とする光学素子。
【請求項２０】
前記ベースフィルムの一面には、複数の第３微細光学パターンが形成されて、前記ベースフィルムの他の一面には入射光を集光または/及び拡散させるように第４微細光学パターンが形成された
ことを特徴とする請求項１９に記載の光学素子。
【請求項２１】
前記第４微細光学パターンは、山と谷が連続的に形成された
ことを特徴とする請求項２０に記載の光学素子。
【請求項２２】
前記第３微細光学パターン及び第４微細光学パターンは、それぞれの山が所定の傾斜角を構成しながら配列された
ことを特徴とする請求項２１に記載の光学素子。
【請求項２３】
前記第３微細光学パターンの山は、前記楕円形状の長軸に沿って一定な曲率半径に湾曲されて構成される
ことを特徴とする請求項１９または２０に記載の光学素子。
【請求項２４】
前記第３微細光学パターンの山の中心部高さは、０．２〜２００μmで構成される
ことを特徴とする請求項１９または２０に記載の光学素子。
【請求項２５】
前記第３微細光学パターンを形成する図形の長軸及び短軸の長さは、それぞれ１〜５０００μm及び１〜１００μmで構成される
ことを特徴とする請求項１９または２０に記載の光学素子。
【請求項２６】
前記第３微細光学パターンの間の距離は、１〜５０００μmで構成される
ことを特徴とする請求項１９または２０に記載の光学素子。
【請求項２７】
前記第３微細光学パターンは、マトリックス形態に配列された
ことを特徴とする請求項１９または２０に記載の光学素子。
【請求項２８】
前記第３微細光学パターンは、お互いに交差で配列された
ことを特徴とする請求項１９または２０に記載の光学素子。
【請求項２９】
請求項１９ないし２８のうちでいずれか一つの光学素子を含むバックライトユニット。
【請求項３０】
請求項２９に記載のバックライトユニットを含む液晶表示装置。
【発明の詳細な説明】
【技術分野】
【０００１】
本発明は、液晶表示装置(ＬＣＤ)に使用される光学素子に関するものであり、特に、液晶表示装置で高輝度特性を最大限維持しながら集光効果を高めて広い視野角を有するようにする光学素子と、これを含むバックライトユニット及び液晶表示装置に関するものである。
【背景技術】
【０００２】
一般に、液晶表示装置(ＬＣＤ：Liquid Crystal Display)で広く使用される光学素子としては、導光板、拡散板、プリズムシート、液晶パネル等がある。このような光学素子等は液晶表示装置の光拡散、集光、輝度改善等のために通常的に使用されている。例えば、液晶表示装置に使用されるバックライトユニットでは光源から入射された光線が導光板を通じて面光源に変換された後に拡散板によって拡散して、プリズムシートの下方に入射される。この時、プリズムシートは入射された光を光出射面に集光することで液晶表示装置の輝度を向上させることができる。
【０００３】
図１は、従来の一般的な液晶表示装置の概略的な断面図である。
【０００４】
図１に示されたように、液晶表示装置１０は大きくバックライトユニット(Ａ)とパネルユニット(Ｂ)で構成される。バックライトユニット(Ａ)は、光源１０から入射された光線を拡散出射させる導光板１２と拡散板１３、拡散板１３から入射される光を集光させて出射させる一つ以上のプリズムシート１４、プリズムシート１４から入射される光を選択反射させる反射偏光膜１５及び反射偏光膜１５を透過した円偏光を直線偏光に変換させる位相遅延層１６を含んで構成される。パネルユニット(Ｂ)は、バックライトユニット(Ａ)から出射される光のうちで直線偏光は透過させて、円偏光は５０％を透過させて、残りは吸収する吸収型偏光膜１７及び視覚的に画面を表示する液晶パネル１８を含んで構成される。説明された図面符号１１は反射板である。
【０００５】
このような液晶表示装置に使用される各種光学素子の場合、高輝度のための集光機能の向上に対する技術開発が重点的になされた。これはＬＣＤ装置がモバイル、ノートブックコンピューター等個人用電子機器に主に使用されるからである。したがって、このような個人用電子機器の場合、視野角は大きい問題として発現しなかった。ところが、最近になってＬＣＤ ＴＶが大型化されて、値下げで大衆化されながら多くの視聴者が同時に視聴することができるようになり、特に、車両のナビゲーション装置は、運転席と補助席で同時に確認できるように広い視野角が要求されている。
【０００６】
これに対して、従来は、広視野角を有する光学素子として、拡散シートを多数枚積層して使用する方法と、反射偏光フィルムを使用する方法とが用いられている。前記の拡散シートを多数枚使用する方法は、輝度上昇に限界があって、多数枚積層することで、製品の厚さが厚くなる短所があり、後者の反射偏光フィルムを使用する方法は、反射偏光フィルムがいまだに市場独占的な商品であるために、その価格が高く、製品の競争力を落とすという問題点がある。
【０００７】
したがって、該当技術分野では、液晶表示装置で、広い視野角を有するようにする光学素子に対する技術開発が継続的に要求されて来ている。
【発明の概要】
【発明が解決しようとする課題】
【０００８】
本発明は、前記した従来技術の問題点を解決するために提案されたものであり、液晶表示装置で、高輝度特性を最大限維持しながら、スリムでありながらも、チープな費用で、集光効果を高めて、広い視野角を有するようにする光学素子を提供することにその目的がある。
【０００９】
また、本発明は、このような光学素子を含むバックライトユニット及び液晶表示装置を提供することに他の目的がある。
【課題を解決するための手段】
【００１０】
前記した目的を達成するための本発明の一実施態様による光学素子は、光透過性を有するベースフィルム；該ベースフィルムの少なくとも一面に形成されて入射光を拡散させる複数の凸部；及び前記凸部上に形成されて入射光を集光して出射させる第１微細光学パターン；を含むものである。
【００１１】
ここで、前記第１微細光学パターンは、凸部上の一部に山と谷が連続的に形成されることができる。
【００１２】
本発明の一実施態様では、前記ベースフィルムの他の一面に形成されて入射光を集光または/及び拡散させる第２微細光学パターンをさらに含むことができるし、前記第２微細光学パターンは山と谷が連続的に形成されることができる。
【００１３】
本発明の一実施態様では、前記第１微細光学パターン及び第２微細光学パターンは、それぞれの山と谷がお互いに平行に配列されることができる。
【００１４】
本発明の一実施態様では、前記第１微細光学パターン及び第２微細光学パターンは、それぞれの山と谷が所定の傾斜角を構成しながら配列されることができる。
【００１５】
本発明の一実施態様では、前記凸部の直径は５０〜１００μmで構成されることが望ましい。
【００１６】
本発明の一実施態様では、前記凸部は、長軸と短軸を有する図形に形成されて、長軸の長さは５０〜１００μmで構成されて、短軸の長さは１〜１００μmで構成されることができる。
【００１７】
本発明の一実施態様では、前記凸部の高さは１０〜４０μmで構成されることが望ましい。
【００１８】
本発明の一実施態様では、前記凸部の間の距離は５０〜１５０μmで構成されることが望ましい。
【００１９】
本発明の一実施態様では、前記複数の凸部のうちで少なくとも一部はその高さが相異することができる。
【００２０】
本発明の一実施態様では、前記第１微細光学パターンの山の高さは５〜３０μmで構成されることが望ましい。
【００２１】
本発明の一実施態様では、前記第１微細光学パターンの山の幅は１０〜３０μmで構成されることが望ましい。
【００２２】
本発明の一実施態様では、前記第１微細光学パターンは、山の高さがお互いに異なるように形成されることができる。
【００２３】
本発明の一実施態様では、前記第１微細光学パターンは前記各凸部の中央部に形成されることができる。
【００２４】
本発明の一実施態様では、前記凸部のうちで前記第１微細光学パターンが形成されない残り部分は、一定な曲率で湾曲された形状で構成されることができる。
【００２５】
一方、前記目的を達成するための本発明の他の実施例による光学素子は、光透過性を有するベースフィルム；及び前記ベースフィルムの少なくとも一面に形成されて入射光を集光及び拡散させる複数の第３微細光学パターン；を含むが、前記各第３微細光学パターンは前記ベースフィルムの表面と接する部分が長軸と短軸を有する図形に形成されて、前記第３微細光学パターンに具備された山の高さは、前記図形の長軸方向に沿ってその中心部から両端部に行くほど低くなるように形成するものである。
【００２６】
ここで、前記ベースフィルムの一面には、複数の第３微細光学パターンが形成されて、前記ベースフィルムの他の一面には入射光を集光または/及び拡散させるように第４微細光学パターンが形成されることができる。
【００２７】
本発明の一実施態様では、前記第４微細光学パターンは、山と谷が連続的に形成されることができる。
【００２８】
本発明の一実施態様では、前記第３微細光学パターン及び第４微細光学パターンは、それぞれの山が所定の傾斜角を構成しながら配列されることができる。
【００２９】
本発明の一実施態様では、前記第３微細光学パターンの山は、前記楕円形状の長軸に沿って一定な曲率半径に湾曲されて構成されることができる。
【００３０】
本発明の一実施態様では、前記第３微細光学パターンの山の中心部高さは、０．２〜２００μmで構成されることが望ましい。
【００３１】
本発明の一実施態様では、前記第３微細光学パターンを形成する図形の長軸及び短軸の長さは、それぞれ１〜５０００μm及び１〜１００μmで構成されることが望ましい。
【００３２】
本発明の一実施態様では、前記第３微細光学パターンの間の距離は１〜５０００μmで構成されることが望ましい。
【００３３】
本発明の一実施態様では、前記第３微細光学パターンは、マトリックス形態に配列されることができる。
【００３４】
本発明の一実施態様では、前記第３微細光学パターンは、お互いに交差で配列されることができる。
【００３５】
他の一方では、本発明は、前記した実施例等に記載した光学素子を含んで構成されたバックライトユニット及びこのようなバックライトユニットを含んで構成された液晶表示装置を提供する。
【発明の効果】
【００３６】
本発明によれば、液晶表示装置で、チープな費用で、集光効果を高めて、広い視野角を具現することができる。
【００３７】
また、本発明では、正面での輝度だけではなく、側面での輝度を向上させて、液晶表示装置の画面全体にかけて均一な輝度を維持することができる。
【図面の簡単な説明】
【００３８】
【図１】従来の一般な液晶表示装置の概略的な断面図である。
【図２】本発明の第１実施例による光学素子を示す平面図である。
【図３】図２のＡ−Ａ線断面図である。
【図４】は図３の要部を拡大して示した拡大図である。
【図５】図２のＢ−Ｂ線断面図である。
【図６】本発明による第１微細光学パターンの他の実施例を示した断面図である。
【図７】本発明の第１実施例による光学素子の変形例を示した例示図である。
【図８】本発明の第２実施例による光学素子の斜視図である。
【図９】図８のＣ−Ｃを示す斜視図である。
【図１０】本発明の一実施例による光学素子を含んだ液晶表示装置の一部を概略的に示した図面である。
【図１１】は本発明の一実施例による光学素子を含んだ液晶表示装置の一部を概略的に示した図面である。
【図１２】本発明の一実施例による光学素子を含んだ液晶表示装置の一部を概略的に示した図面である。
【図１３】本発明の第３実施例による光学素子の概略的な斜視図である。
【図１４】本発明の第３実施例による光学素子の概略的な斜視図である。
【図１５】図２のＦ−Ｆを示す断面図及び斜視図である。
【図１６】図２のＧ−Ｇを示す断面図である。
【図１７】本発明の第４実施例による光学素子の概略的な斜視図である。
【図１８】図１７のＨ−Ｈを示す斜視図である。
【図１９】従来の光学素子と本発明の光学素子での光の経路をシミュレーションした結果を示した図面である。
【図２０】従来の光学素子と本発明の光学素子での光の経路をシミュレーションした結果を示した図面である。
【図２１】本発明の一実施例による光学素子を含んだ液晶表示装置の一部を概略的に示した図面である。
【発明を実施するための形態】
【００３９】
以下で、本発明の望ましい実施例の詳細な説明が添付された図面らを参照して説明する。本発明による光学素子は、液晶表示装置に通常的に使用されるどのような構造にも本発明の技術的思想が幅広く適用されることができる。したがって、以下で記述される光学素子は、液晶表示装置に使用される素子の基本的な構造として本発明を説明するための例示として提供される。
【００４０】
延いては、下記の本発明の説明において、関連された公知機能または構成に対する具体的な説明が本発明の要旨を不必要に不明確にするおそれがあると判断される場合にはその詳細な説明を略することがある。
【００４１】
図２は、本発明の第１実施例による光学素子を示す平面図である。
【００４２】
図２を参照すれば、本発明の第１実施例による光学素子１００は、光透過性を有するベースフィルム１１０、そのベースフィルム１１０の少なくとも一面に形成された複数の凸部１２０、及び、その凸部１２０上の一部に複数の山１３１と谷１３２が連続的に形成された第１微細光学パターン１３０を含んで構成される。
【００４３】
本発明によるベースフィルム１１０は、入射される光を透過させる材料として、例えば、ＰＣ(Polycarbonate)、ＰＥＴ(Polyester)、ＰＥ(Polyethylene)、ＰＰ(Polypropylene)、ＰＭＭＡ(Polymethly Methacrylate)のうちで選択された一つを含む。
【００４４】
このようなベースフィルム１１０の少なくとも一面には、複数の凸部１２０が形成されている。凸部１２０は、ベースフィルム１１０の一面全体にかけてまたは一部区間に規則的に形成されるか、または全体にかけてまたは一部区間に不規則的に形成されてニュートン環(newton rings)及びウェットアウト(wet-out)の発生を防止するようになる。そして、凸部は図２に示されたように、ベースフィルム１１０の平面で、投映時、円形、楕円形、四角形、三角形、菱形等多様な形状の断面を有することもできる。このようなそれぞれの凸部１２０は、ベースフィルム１１０に入射された光を拡散させて広視野角を誘導するようになる。
【００４５】
それぞれの凸部１２０上の一部には複数の山１３１と谷１３２が連続で構成された第１微細光学パターン１３０が形成されている。特に、第１微細光学パターン１３０は、凸部１２０上で中央部に形成されることが望ましい。このようなそれぞれの第１微細光学パターン１３０は、ベースフィルム１１０に入射された光が上部の液晶パネル(図示せず)に実質的に垂直になるように集光して出射させる機能をする。
【００４６】
図３は、図２のＡ−Ａ線断面図であり、図４は図３の要部を拡大して示した拡大図であり、図５は図２のＢ−Ｂ線断面図であり、図６は本発明による第１微細光学パターンの他の実施例を示した断面図である。
【００４７】
図３を参照すれば、本発明の第１実施例による光学素子１００の凸部１２０は、所定の曲率を有する突出された形状であり、例えば、半球型に形成されて、ベースフィルム１１０上に突出されることが望ましい。言い換えれば、凸部１２０はベースフィルム１１０の側面で、投映時(図３参照)半円または反楕円形状を有することが望ましい。第１微細光学パターン１３０は、複数の山１３１と谷１３２が連続で構成されて、凸部１２０上の一部に形成されて、望ましくは、凸部１２０の中央部に形成される。よって、第１微細光学パターン１３０が形成されない凸部１２０の残り部分、すなわち、図３に示された側面部１２１は、一定な曲率に湾曲された形状をそのまま維持できるようになる。これで、図４に示されたように、下部から入射された入射光は、第１微細光学パターン１３０によって集光されて、上部で垂直に出射されて(Ｎ方向)、凸部１２０の側面部１２１によって拡散して出射されることで(Ｒ方向)、液晶表示装置の側面輝度を向上させるようになる。これによって視野角を充分に確保するだけでなく、さらにひいては、バックライトユニットで拡散フィルムの機能を並行するようになる。
【００４８】
図３に示されたように、それぞれの凸部１２０の間の距離(Ａ)は、５０〜１５０μmに形成されたものが望ましくて、凸部１２０の直径(Ｂ)は５０〜１００μmに形成されたものが望ましい。ここで、凸部１２０はベースフィルム１１０の平面投映時、長軸と短軸を有する図形に形成されることができるし、この時長軸の長さは５０〜１００μmで構成されて短軸の長さは１〜１００μmで構成されることが望ましい。同時に、それぞれの凸部１２０が楕円形状、四角形状、菱形形状の場合にも長軸と短軸または各対角線の長さが５０〜１００μmに形成されることが望ましい。また、各凸部１２０の高さ(Ｃ)は１０〜４０μmであることが望ましい。このような複数の凸部１２０のうち少なくとも一部はその大きさが異なることもできる。ここで、前記凸部１２０の大きさ、高さ、間隔等の形態は全体的な密度、輝度、製作の容易性等を考慮して決まることが望ましい。例えば、凸部１２０の直径及び高さの場合、５０μm未満なら、その上部に第１微細光学パターン１３０を形成しにくくて、１００μmを超過すれば、むしろ全体的な輝度が低下される。また、凸部１２０の間の間隔は、５０μm未満なら、側面輝度の特性が向上しないで、１５０μmを超過すれば、密度が低くなって輝度特性が悪くなる。しかし、このように凸部１２０及び第１微細光学パターン１３０は、望ましい実施例であり、具現される製品の輝度及び製作特性によってその数値を異なるように変更して設計することができることは勿論である。
【００４９】
延いては、第１微細光学パターン１３０の山１３１の幅(Ｄ)は、１０〜３０μmであることが望ましくて、その山１３１の高さ(Ｅ)は、５〜３０μmであることが望ましい。ここで、第１微細光学パターン１３０の山１３１の高さは、凸部１２０の高さより小さなことが望ましい。また、各第１微細光学パターン１３０は、お互いに異なる個数の山と谷を含むこともできる。
【００５０】
同時に、それぞれの山には、また他の微細光学パターン(図示せず)が形成されることができる。すなわち、前で言及した第１微細光学パターン１３０のように、山と谷が連続的に繰り返されるように形成されて、ベースフィルム１１０に入射される入射光に対する集光効率を極大化させるものである。
【００５１】
図５を参照すれば、本発明の第１実施例による光学素子は、一例として図５に示されたように、各凸部１２０上の一部に形成された第１微細光学パターン１３０の山１３１は、円弧を形成するように一定な曲率に湾曲されることができる。すなわち、第１微細光学パターン１３０の山１３１は、その中心部から両端部に行くほど高さが低くなるように形成されることができる。しかし、本発明はこのような構造に限定されないし、他の一例として、図５に示されたように、第１微細光学パターン１３０の山１３１は、同一な高さを維持することもできる。言い換えれば、図３及び図５に示されたように、実質的に三角形が、どの一方向で連続的に配列された形状に形成されることができるし、この時、第１微細光学パターン１３０の山１３１は、図５でのように円弧のわくを脱しないように形成されることが望ましい。
【００５２】
一方、本発明の第１実施例による光学素子１００は、バックライトユニット及び液晶表示装置に使用されることができる。この場合、複数の凸部１２０は、ベースフィルム１１０の上面に形成されることが望ましい。これで、下部の光源(図示せず)で発生された光が、ベースフィルム１１０を透過して、複数の凸部１２０及び第１微細光学パターン１３０に入射されれば、凸部１２０は、その入射光を拡散させて、液晶表示装置の全画面にかけて輝度を均一にして、第１微細光学パターン１３０は、その入射光を集光して、ほとんど垂直で出射させて、画面の輝度及び視野角を増加させるようにする。これで、本発明の場合、液晶表示装置で、輝度を最大限維持しながら、画面での広い視野角を具現することができる。この時、液晶表示装置で、正面及び側面での輝度特性を考慮して、第１微細光学パターン１３０の大きさ、密度、山の曲率半径等を適切に調整することができる。
【００５３】
ここで、本発明の実施例は、前記構造に限定されないでベースフィルム１１０の上面及び下面に同時に複数の凸部１２０及び第１微細光学パターン１３０が形成されることもできる。この場合に、下面の第１微細光学パターン１３０によって集光及び拡散した光が、ベースフィルム１１０を透過した後、上面の凸部１２０及び第１微細光学パターン１３０によって再び集光及び拡散する。このように、本発明の第１実施例による光学素子１００は、液晶表示装置のバックライトユニットに適用される場合、図面に示された構造だけではなく、上下対称構造にも適用されることができる。
【００５４】
このような本発明の第１実施例による光学素子１００は、液晶表示装置のバックライトユニットで拡散板に利用されることができる。例えば、このような光学素子１００が拡散板に利用される場合、ベースフィルム１１０はＰＥＴフィルムを利用することができる。
【００５５】
図７は、本発明の第１実施例による光学素子の変形例である。
【００５６】
図７を参照すれば、本発明の第１実施例による光学素子で凸部１２０上の一部または全部に形成された第１微細光学パターン１３０の山１３１は、お互いに異なる高さを有する第１山１３１ａ及び第２山１３１ｂで構成されることができる。このように、第１山１３１ａ及び第２山１３１ｂの高さをお互いに異なるように形成することで、お互いに同一な高さの山１３１を有する第１微細光学パターン１３０の場合より集光効率を高めることができるし、これによって液晶表示装置に光を効率的に供給することができる。
【００５７】
図８は、本発明の第２実施例による光学素子の概略的な斜視図である。
【００５８】
図８を参照すれば、本発明による第２実施例による光学素子２００は、光透過性を有するベースフィルム２１０、そのベースフィルム２１０の一面に形成された複数の凸部２２０、凸部２２０上の一部に複数の山２３１と谷２３２が連続に形成された第１微細光学パターン２３０、及び、そのベースフィルム２１０の他の一面に複数の山２４１と谷２４２が連続に形成された第２微細光学パターン２４０を含んで構成される。
【００５９】
本発明によるベースフィルム２１０は、入射される光を透過させる材料であり、例えば、ＰＣ(Polycarbonate)、ＰＥＴ(Polyester)、ＰＥ(Polyethylene)、ＰＰ(Polypropylene)、ＰＭＭＡ(Polymethly Methacrylate)のうちで選択された一つを含む。
【００６０】
このようなベースフィルム２１０の一面に、複数の凸部２２０が形成される。上部の断面投映時の凸部２２０は、楕円形状、円形上、四角形状、三角形状、菱形形状等、多様な形状の断面を有することもできる。それぞれの凸部２２０上の一部には、第１微細光学パターン２３０が形成されているし、その第１微細光学パターン２３０は、複数の山２３１と谷２３２が連続で構成される。この時、第１微細光学パターン２３０は、凸部２２０上で中央部に形成されることが望ましい。このような凸部２２０はベースフィルム２１０に入射された光が、上部の液晶パネル(図示せず)で拡散して出射されるようにして、第１微細光学パターン２３０は、ベースフィルム２１０に入射された光が上部の液晶パネルに実質的に垂直になるように集光して出射されるようにする。
【００６１】
本発明の第２実施例によるベースフィルム２１０、凸部２２０及び第１微細光学パターン２３０は、図２ないし図４で説明した本発明の第１実施例によるベースフィルム１１０、凸部１２０及び第１微細光学パターン１３０と構成及び作用が同一であるので、それに対する重複説明は略する。
【００６２】
本発明による第２微細光学パターン２４０は、ベースフィルム２１０で凸部２２０が形成された他の一面に形成される。本発明の一例として、第２微細光学パターン２４０は、複数の山２４１と谷２４２が連続に形成されたプリズムパターンであることが望ましい。すなわち、例えば、第２微細光学パターン２４０は、ベースフィルム２１０の長さ方向にしたがって、実質的に三角形状が連続的に配列されて、複数の山２４１と谷２４２が、お互いに隣り合うように連続配列されたプリズムパターンで構成されることができる。望ましくは、このような第２微細光学パターン２４０は、下部で入射された光を、集光または/及び拡散させて、上部に出射する機能を遂行する。これで上部にある液晶パネル(図示せず)の可視面全体にかけて輝度を向上させる機能を有する。このような第２微細光学パターン２４０を構成する個々のプリズムは、その断面投映時に、三角形状、円弧形状、多角形状のうちでいずれか一つの断面を有する。
【００６３】
図９は、図８のＣ−Ｃ線断面図である。
【００６４】
図９を参照すれば、本発明の第２実施例による第１微細光学パターン２３０及び第２微細光学パターン２４０は、その断面投映時に望ましくは、三角形状の断面を有する。しかし、本発明の他の一例では、円弧形状、台形形状の断面を有することもできる。第１微細光学パターン２３０が凸部２２０上の一部に形成されるので、第１微細光学パターン２３０が形成されない凸部２２０の残り部分２２１は、望ましくは、一定な曲率に湾曲されるように形成−円弧を描くように形成されて、この部分２２１によって入射された光が周辺に拡散する。
【００６５】
図面では例示的に、第１微細光学パターン２３０及び第２微細光学パターン２４０の各山２３１、２４１がお互いに平行に形成されたものとして示されているが、他の例としてこのような各山２３１、２４１は、所定の傾斜角を構成しながらお互いに交差されるように配列されて、モアレ防止を期待することができる。ここで、所定の傾斜角は、それぞれの山２３１、２４１が直交されるように配列される概念を含んで、所定の傾斜角は４５゜〜９０゜に構成されることが望ましい。そして、液晶表示装置で側面部(左右)での輝度を高めて広い視野角を確保するためには、第１微細光学パターン２３０の山２３１が液晶表示装置で上下に配列されることが望ましい。
【００６６】
一方、本発明の第２実施例による光学素子２００は、バックライトユニット及び液晶表示装置に適用されることができる。この場合、凸部２２０及び第１微細光学パターン２３０は、ベースフィルム２１０の下面に、第２微細光学パターン２４０は、上面に形成されることが望ましい。これで下部の光源(図示せず)で発生されて入射された入射光が下面の凸部２２０及び第１微細光学パターン２３０に入射されれば、その入射光を集光及び拡散させて、ベースフィルム２１０に出射して、以後ベースフィルム２１０を透過して第２微細光学パターン２４０に入射されれば、その入射光を集光して上部に出射させる。これで、輝度特性を維持しながら広い視野角を具現することができる。液晶表示装置で、正面及び側面の輝度特性を考慮して、第１微細光学パターン２３０の大きさ、密度、山の曲率半径等を適切に調整することができる。
【００６７】
ここで、本発明の実施例は、前記構造に限定されないで、ベースフィルム２１０を基準に上面には、複数の凸部２２０及び第１微細光学パターン２３０が形成されて、下面には第２微細光学パターン２４０が形成されることもできる。この場合、下部から入射される入射光は、第２微細光学パターン２４０によって集光されて、ベースフィルム２１０に出射されて、ベースフィルム２１０を通過して出射された光は、再び凸部２２０及び第１微細光学パターン２３０によって拡散及び集光されて出射される。このような光の拡散を通じて側面での広い視野角を確保することができるようになる。
【００６８】
このような本発明の第２実施例による光学素子２００は、液晶表示装置のバックライトユニットで通常のプリズムシート(prism sheet)に利用されることができる。この場合にベースフィルム２１０は、ＰＥＴフィルムを利用することができる。
【００６９】
図１０ないし図１２は、本発明の一実施例による光学素子を含んだ液晶表示装置の一部を概略的に示した図面である。
【００７０】
図１０に示されたように、本発明による液晶表示装置８００は、バックライトユニット(Ａ)とパネルユニット(Ｂ)で構成される。このような液晶表示装置８００では、光源８１０から入射された光と反射板８１１で反射した光を拡散及び出射させる導光板８２０と拡散板８３０、拡散板８３０から入射される入射光を集光させる一つ以上のプリズムシート８４０、プリズムシート８４０から入射された光を選択反射させる反射偏光膜８５０、反射偏光膜８５０を透過した円偏光を直線偏光に変換させる位相遅延層８６０、位相遅延層８６０を通過した光のうちで直線偏光は透過させて、円偏光は５０％を透過させて残りは吸収する吸収型偏光膜８７０及び画面を表示する液晶パネル８８０を含んで構成される。
【００７１】
この時、本発明の実施例等による光学素子を利用して拡散板８３０またはプリズムシート８４０を具現する場合、拡散板８３０及びプリズムシート８４０のうち少なくとも一つの一面(例：下部面)にそれぞれ微細光学パターンが形成された複数の凸部８３１、８４３ａ、８４３ｂが形成されることで、光を集光及び拡散させるようにする。また、本発明の実施例でプリズムシート８４０の場合、下部プリズムシート８４１上部に、上部プリズムシート８４２が積層された構造を有することができる。
【００７２】
このように本発明では、光学素子がバックライトユニットで多様な形態に具現されることができるし、特に、微細光学パターンで入射光を集光及び拡散させることで、輝度特性を最大限維持しながら、側面での広い視野角を確保することができる。
【００７３】
図１１及び図１２には、本発明の実施例による光学素子８３０、８４０が液晶表示装置に適用された他の一例が示されている。
【００７４】
図１１で、本発明の光学素子８３０は、光透過性ベースフィルム８３１の上面に、微細光学パターンが形成された複数の凸部８３２が形成されて、例えば、拡散板で使用されることができる。また、図１１で、本発明の光学素子８３０は、光透過性ベースフィルム８３１の両面、すなわち上面及び下面には、微細光学パターンが形成された複数の凸部８３２が形成されて、拡散板で使用されることができる。この時、ベースフィルム８３１の上下面に形成された凸部は、所定の傾斜角を構成しながら配列されることもできる。図１２で他の光学素子８４０は、ベースフィルム８４１の上面には、第１微細光学パターンが形成された複数の凸部８４２が形成されると共に、下面には、山と谷が連続で構成された第２微細光学パターン８４３が形成されてプリズムシートで使用されることができる。
【００７５】
このように本発明では、光学素子がバックライトユニットで多様な形態に具現されることができる。
【００７６】
図１３及び図１４は、本発明の第３実施例による光学素子の斜視図である。
【００７７】
図１３及び１４を参照すれば、本発明の第３実施例による光学素子３００は、光透過性を有するベースフィルム３１０及びそのベースフィルム３１０の少なくとも一面に形成された複数の第３微細光学パターン３２０を含んで構成される。
【００７８】
本発明によるベースフィルム３１０は、入射される光を透過させる材料であり、例えば、ＰＣ(Polycarbonate)、ＰＥＴ(Polyester)、ＰＥ(Polyethylene)、ＰＰ(Polypropylene)、ＰＭＭＡ(Polymethly Methacrylate)のうちで選択された一つを含む。
【００７９】
本発明による複数の第３微細光学パターン３２０は、所定高さの山３２１を有するようにベースフィルム３１０の少なくとも一面に形成されて、そのベースフィルム３１０に入射された光を集光及び拡散させる。このような第３微細光学パターン３２０は、ベースフィルム３１０の少なくとも一面に一体に形成されることが望ましい。
【００８０】
また、本発明による複数の第３微細光学パターン３２０は、上部での平面投映時、長軸と短軸を有する図形、すなわち楕円形状３２２または木の葉形状に形成される。言い換えれば、本発明による各第３微細光学パターン３２０は、ベースフィルム３１０の少なくとも一面と接する部分が楕円形状３２２である。この時、望ましくは、第３微細光学パターン３２０の山３２１は、このような楕円形状３２２の長軸に沿ってその中心部から両端部に行くほど高さが低くなる。より望ましくは、第３微細光学パターンの山３２１は、楕円形状３２２の長軸に沿って一定な曲率半径に湾曲されて構成される。
【００８１】
本発明の実施例で、このような楕円形状で長軸２１の長さは、１〜５０００μmであることが望ましくて、短軸２２の長さは、１〜１００μmであることが望ましい。この時、このような楕円形状の短軸と長軸の長さの比は、１：１を超過して１：５００００以下であることが望ましい。さらに望ましくは、１：１０００以下であることが望ましい。また、このような第３微細光学パターンの間の距離は、１〜５０００μmであることが望ましい。本発明の実施例で、このような長軸対短軸の長さ比、第３微細光学パターンの間の距離、各山の高さ、パターンの繰り返し及び分布等は、入射光の集光及び拡散効率によって決まることができるし、ひいては液晶表示装置の側面部での輝度によって決まることができる。
【００８２】
一方、本発明による複数の第３微細光学パターンは、お互いに一定な間隔に配列されることができる。本発明の一例として、図１３のように複数の第３微細光学パターンは、縦横に羅列されたマトリックス(matrix)形態に配列されることができる。他の例として、図１４のように複数の第３微細光学パターンは、お互いに交差するように配列されることもできる。
【００８３】
図１５は、図２のＦ−Ｆを示す断面図及び斜視図であり、図１６は、図１３のＧ−Ｇを示す断面図である。
【００８４】
図１５を参照すれば、本発明の第３実施例による第３微細光学パターンは、その短軸の断面投映時実質的にベースフィルム３１０の上面に突出された三角形状の断面を有する。このような三角形状の中心部３２１ａは、第３微細光学パターンで山３２１の一部になる。この時、前記中心部３２１ａから楕円形状３２２の短軸２２に沿ってベースフィルム３１０の表面３２２ａまで至る側面部のライン(Ａ、Ｂ)は、曲線であることが望ましい。なぜなら、このような側面部ライン(Ａ、Ｂ)が曲線である場合には、入射光が集光されるだけでなく、側面でも拡散するからである。しかし、本発明はこれに限定されないで、直線の形態で具現が可能である。この場合、入射光の拡散よりは集光がさらに強く起きる。これで第３微細光学パターンは、入射光の集光だけではなく、側面への拡散機能も共に具現することができる。また、第３微細光学パターンは、その山３２１が楕円形状３２２の長軸２１にしたがって所定の高さを有する。この時、このような山３２１の高さは、望ましくは、楕円形状３２２の長軸２１に沿って変わる。これは、図１６で具体的に説明される。図面には、第３微細光学パターンの断面が三角形状に形成されたものとして示されているが、本発明は、これに限定されないで正三角形、二等辺三角形、円弧型、梯子型、四角形等多様な形状で具現が可能である。また、液晶表示装置で側面部での輝度を高めて広い視野角の確保のために第３微細光学パターンの山３２１が上下に配列されることが望ましい。
【００８５】
図１６を参照すれば、本発明の第３実施例による各第３微細光学パターンは、ベースフィルム３１０の少なくとも一面と接する部分である楕円形状３２２の長軸２１に沿って第３微細光学パターンの山３２１がその中心部３２１ａから両端部３２１ｂに行くほど高さが低くなる。言い換えれば、第３微細光学パターンは、その中心部３２１ａから山３２１の高さが一番高くて、両末端部３２１ｂに行くほど高さは低くなる。特に、望ましくは、第３微細光学パターンの山３２１は、このような楕円形状３２２の長軸２１に沿って一定な曲率半径に湾曲されている。この時、中心部３２１ａで山３２１の高さは、０．２〜２００μmであることが望ましい。このような山３２１の高さが上記の範囲より小さいか、または大きくなるようになれば加工が難解になって、集光効率が低下されて、有意な値を有することができなくなる。
【００８６】
図１６には本発明の望ましい実施例として第３微細光学パターンの側端面から見る時、山３２１が一定な曲率半径に湾曲されたものとして示されているが、本発明はこのような構造に限定されない。他の例として、中心部３２１ａから両端部３２１ｂまでお互いに異なる曲率半径に湾曲されることができるし、直線に具現されることもできる。しかし、液晶表示装置に適用される場合、可視面全体に均一な輝度を提供するために、中心部３２１ａで長軸２１に沿って両端部３２１ｂにつながる山３２１の形状は、お互いに対称されることが望ましくて、より望ましくは、一定な曲率半径に湾曲されることが好ましい。
【００８７】
一方、本発明の第３実施例による光学素子３００は、バックライトユニット及び液晶表示装置に使用されることができる。この場合、第３微細光学パターンは、ベースフィルム３１０の上面に形成されることが望ましい。これで、下部の光源(図示せず)で発生された光がベースフィルム３１０を透過して、第３微細光学パターンに入射され、その入射光を集光すると共に側面で拡散させる。これで、輝度特性を維持しながら広い視野角を具現することができる。この時、液晶表示装置で正面及び側面での輝度特性を考慮して、第３微細光学パターンの大きさ、密度、山の曲率半径、繰り返しパターン及び密度等を適切に調節することができる。
【００８８】
ここで、本発明の実施例は、前記構造に限定されないで、ベースフィルム３１０の上面及び下面に同時に第３微細光学パターンが形成されることもできる。この場合に、下面の第３微細光学パターンによって集光及び拡散した光がベースフィルム３１０を透過した後上面の第３微細光学パターンによってまた集光及び拡散する。このように、本発明の第３実施例による光学素子３００は、液晶表示装置のバックライトユニットに適用される場合、図面に示された構造だけではなく、上下対称構造でも適用されることができる。
【００８９】
このような本発明の第３実施例による光学素子３００は、液晶表示装置のバックライトユニットで拡散板として利用されることができる。例えば、このような光学素子３００が拡散板に利用される場合ベースフィルム３１０は、ＰＥＴフィルムを利用することができる。
【００９０】
図１７は、本発明の第４実施例による光学素子の概略的な斜視図である。
【００９１】
図１７を参照すれば、本発明による第４実施例による光学素子４００は、光透過性を有するベースフィルム４１０、そのベースフィルム４１０の一面に形成された第３微細光学パターン４２０及びそのベースフィルム４１０の他面に形成された第４微細光学パターン４３０を含んで構成される。
【００９２】
本発明によるベースフィルム４１０は、入射される光を透過させる材料として、例えば、ＰＣ(Polycarbonate)、ＰＥＴ(Polyester)、ＰＥ(Polyethylene)、ＰＰ(Polypropylene)、ＰＭＭＡ(PolymethlyMethacrylate)のうちで選択された一つを含む。
【００９３】
本発明による複数の第３微細光学パターン４２０は、所定高さの山４２１を有するようにベースフィルム４１０の一面に形成されて、そのベースフィルム４１０に入射された光を集光及び拡散させる。このような第３微細光学パターン４２０は、ベースフィルム４１０の一面に一体に形成されることが望ましい。
【００９４】
本発明の第４実施例によるベースフィルム４１０及び第３微細光学パターン４２０は、図２ないし図１６で説明した本発明の第３実施例によるベースフィルム３１０及び第３微細光学パターンと構成及び作用が同一であるので、それに対する重複説明は略する。
【００９５】
本発明による第４微細光学パターン４３０は、ベースフィルム４１０で第３微細光学パターン４２０が形成された一面の反対面に形成される。本発明の一例として第４微細光学パターン４３０は、複数の山４３１と谷４３２が連続に形成されたプリズムパターンであることが望ましい。すなわち、例えば、第４微細光学パターン４３０はベースフィルム４１０の長さ方向にしたがって実質的に三角形状が連続的に配列されて、複数の山４３１と谷４３２がお互いに隣り合うように連続配列されたプリズムパターンで構成されることができる。望ましくは、このような第４微細光学パターン４３０は、下部で入射された光を集光させて、上部に出射する機能を遂行する。これで上部にある液晶パネル(図示せず)の可視面全体にかけて輝度を向上させる機能を有する。このような第４微細光学パターン４３０を構成する個々のプリズムはその断面投映時に三角形状、円弧形状、多角形状のうちでいずれか一つの断面を有する。
【００９６】
図１８は、図１７のＨ−Ｈを示す斜視図である。
【００９７】
図１８を参照すれば、本発明の第４実施例による第３微細光学パターン４２０及び第４微細光学パターン４３０は、その断面投映時実質的に三角形状の断面を有する。この時、このような三角形状の断面で第３微細光学パターン４２０の場合、山４１１から楕円形状４２２まで至るライン(Ａ、Ｂ)は曲線であることが望ましくて、第４微細光学パターン４３０の場合、山４３１から谷４３２まで至るラインは直線であることが望ましい。図面では一例として第３微細光学パターン４２０及び第４微細光学パターン４３０の各山４２１、４３１が平行に形成されているが、他の例として前記各山４２１、４３１は、お互いに交差されるように形成されることもできる。ここで、液晶表示装置で側面部(左右)での輝度を高めて広い視野角を確保するためには第３微細光学パターン４２０の山４２１が液晶表示装置で上下に配列されることが望ましい。
【００９８】
一方、本発明の第４実施例による光学素子４００は、バックライトユニット及び液晶表示装置に適用されることができる。この場合、第３微細光学パターン４２０は、ベースフィルム４１０の下面に、第４微細光学パターン４３０は上面に形成されることが望ましい。これで、下部の光源(図示せず)で発生された光が下面の第３微細光学パターン４２０に入射されれば、その入射光を集光及び拡散させてベースフィルム４１０に出射して、以後、ベースフィルム４１０を透過して第４微細光学パターン４３０に入射されれば、その入射光を集光して上部に出射させる。これで、輝度特性を維持しながら広い視野角を具現することができる。液晶表示装置で、正面及び側面の輝度特性を考慮して、第３微細光学パターン４２０の大きさ、密度、山の曲率半径等を適切に調整することができる。
【００９９】
ここで、本発明の実施例は、前記構造に限定されないで、ベースフィルム４１０を基準で上面に、第３微細光学パターン４２０が、下面に第４微細光学パターン４３０が形成されることもできる。この場合、下部から入射される入射光は、第４微細光学パターン４３０によって集光されて、ベースフィルム４１０に出射されて、ベースフィルム４１０を通過して出射された光は、再び第３微細光学パターン４２０によって、集光及び拡散が起きるようになる。このような光の拡散を通じて側面での広い視野角を確保することができる。
【０１００】
このような本発明の第４実施例による光学素子４００は、液晶表示装置のバックライトユニットで、通常のプリズムシート(prism sheet)に利用されることができる。この場合にベースフィルム４１０は、ＰＥＴフィルムを利用することができる。
【０１０１】
図１９及び図２０は、従来の光学素子と本発明による光学素子で出射される光の経路を比べるためのシミュレーション結果を示した図面である。
【０１０２】
図１９(ａ)は、従来の光学素子の側面で光の経路を示すシミュレーション結果であり、図１９(ｂ)は、本発明の実施例による光学素子の側面で光の経路を示すシミュレーション結果である。図面に示すところのように、従来の光学素子は、側端面が直線に形成されて、光の拡散や集光力がほとんどなくて、本発明の光学素子は、側端面がレンズ形態、すなわち一定な曲率を湾曲されるように形成されて、光の拡散及び集光力が発生することが分かる。
【０１０３】
また、図２０(ａ)は、従来の光学素子の斜視図で光の経路を示すシミュレーション結果であり、図２０(ｂ)は、本発明の実施例による光学素子の斜視図で、光の経路を示すシミュレーション結果である。図面に示すところのように、従来の光学素子の場合三角形プリズムでは、集光力だけ発生することが分かり、本発明の光学素子の場合、集光力だけではなく、側面への拡散力も一緒に発生することが分かる。
【０１０４】
このようなシミュレーション結果を通じて本発明の光学素子は、上方への集光及び側面への拡散も共に具現されることを分かり、これで、液晶表示装置で視野角を広く確保することができるようになる。
【０１０５】
図２１は、本発明の一実施例による光学素子を含んだ液晶表示装置の一部を概略的に示した図面である。
【０１０６】
図２１に示されたように、本発明による液晶表示装置７００は、バックライトユニット(Ａ)とパネルユニット(Ｂ)で構成される。このような液晶表示装置７００では、光源７１０で入射された光と反射板７１１で反射した光を拡散及び出射させる導光板７２０と拡散板７３０、拡散板７３０から入射される入射光を集光させる一つ以上のプリズムシート７４０、プリズムシート７４０から入射された光を選択反射させる反射偏光膜７５０、反射偏光膜７５０を透過した円偏光を直線偏光に変換させる位相遅延層７６０、位相遅延層７６０を通過した光のうちで直線偏光は透過させて、円偏光は５０％を透過させて残りは吸収する吸収型偏光膜７７０及び画面を表示する液晶パネル７８０を含んで構成される。
【０１０７】
この時、本発明の実施例等による光学素子を利用して拡散板７３０またはプリズムシート７４０を具現する場合、拡散板７３０及びプリズムシート７４０のうちで少なくとも一つの一面(例：下部面)にそれぞれ複数の微細光学パターン７３１、７４３ａ、７４３ｂが形成されることで、光を集光及び拡散させるようにする。また、本発明の実施例でプリズムシート７４０の場合下部プリズムシート７４１上部に上部プリズムシート７４２が積層された構造を有することができる。
【０１０８】
図２１では液晶表示装置の一例を示したものであり、本発明の他の実施例で拡散板７３０及びプリズムシート７４０は、多様に具現されることもできる。例えば、図２１で拡散板７３０及びプリズムシート７４０はベースフィルムの上面または両面にそれぞれ複数の微細光学パターン７３１、７４３ａ、７４３ｂが形成されることで、光を集光及び拡散させるようにすることもできる。
【０１０９】
このように本発明では光学素子がバックライトユニットで多様な形態に具現されることができるし、特に、微細光学パターンで入射光を集光及び拡散させることで輝度特性を最大限維持しながら側面での広い視野角を確保することができる。
【０１１０】
前記図面と発明の詳細な説明は単に本発明の例示的なものであり、これは単に本発明を説明するための目的で使用されたものであって、意味限定や特許請求範囲に記載した本発明の範囲を制限するために使用されるものではない。それで、本技術分野の通常の知識を有した者なら、これから多様な変形及び均等な他の実施形態が可能であるという点を理解するであろう。よって、本発明の真正な技術的保護範囲は、添付された特許請求範囲の技術的思想によって決まらなければならないであろう。
【産業上の利用可能性】
【０１１１】
最近になって液晶表示装置(ＬＣＤ)は、携帯電話、ＴＶ、ナビゲーション、各種モニターのようなディスプレイ装置で、その使用幅がますます拡がっており、今後にもこのような成り行きは続くものとして予想される。特に、ディスプレイ装置が大型化されながら正面の輝度だけではなく、側面での輝度が重要な要素になっている。したがって、液晶表示装置に使用される各種光学素子で広い視野角のための技術開発が活発に進行されている。
【０１１２】
このような側面で見る時、本発明による液晶表示装置に使用される光学素子は、高輝度特性を維持しながらチープな費用で集光機能を高めて広い視野角を具現することができるために最終的に製品の品質向上に寄与することができる。このような理由で本発明の光学素子は、今後のディスプレイ装置で広く利用されることができるものとして判断される。
【図１Ａ】
2011523102.tif 000003
【図１Ｂ】
2011523102.tif 000004
【図２】
2011523102.tif 000005
【図３】
2011523102.tif 000006
【図４】
2011523102.tif 000007
【図５】
2011523102.tif 000008
【図６】
2011523102.tif 000009
【図７】
2011523102.tif 000010
【図８】
2011523102.tif 000011
【図９】
2011523102.tif 000012
【図１０Ａ】
2011523102.tif 000013
【図１０Ｂ】
2011523102.tif 000014
【図１１Ａ】
2011523102.tif 000015
【図１１Ｂ】
2011523102.tif 000016
【図１２Ａ】
2011523102.tif 000017
【図１２Ｂ】
2011523102.tif 000018
【図１３】
2011523102.tif 000019
【図１４】
2011523102.tif 000020
【図１５（ａ）】
2011523102.tif 000021
【図１５（ｂ）】
2011523102.tif 000022
【図１６】
2011523102.tif 000023
【図１７（ａ）】
2011523102.tif 000024
【図１７（ｂ）】
2011523102.tif 000025
【図１８】
2011523102.tif 000026
【図１９（ａ）】
2011523102.tif 000027
【図１９（ｂ）】
2011523102.tif 000028
【図２０（ａ）】
2011523102.tif 000029
【図２０（ｂ）】
2011523102.tif 000030
【図２１Ａ】
2011523102.tif 000031
【図２１Ｂ】
2011523102.tif 000032
【国際調査報告】
2011523102.tif 000033
2011523102.tif 000034
2011523102.tif 000035
2011523102.tif 000036